(57)【要約】【課題】刈刃の回転を容易に認識できる電動刈払機を提供する。【解決手段】電動刈払機は、長尺状の連結部３０と、把持部２５と、を有する操作棹２０と、連結部３０の一端部に支持されたモータと、モータに回転駆動される刈刃と、操作棹に配置され、モータに電力を供給する電源部１０と、モータへの電力の供給をオン／オフする駆動スイッチ１６と、駆動スイッチ１６がオンからオフに切り替えられたときに、モータが慣性による回転により発生する電力によって発光する発光部１８と、を備える。【選択図】図２
2011135842.tif 000002
【特許請求の範囲】
【請求項１】
長尺状の連結部と、把持部と、を有する操作棹と、
前記連結部の一端部に支持されたモータと、
前記モータに回転駆動される刈刃と、
前記操作棹に配置され、前記モータに電力を供給する電源部と、
前記モータへの電力の供給をオン／オフする駆動スイッチと、
前記駆動スイッチがオンからオフに切り替えられたときに、前記モータが慣性による回転により発生する電力によって発光する発光部と、を備える、
ことを特徴とする電動刈払機。
【請求項２】
前記駆動スイッチは、
前記モータと前記電源部とが接続された第１の回路状態と、
前記モータと前記電源部とが遮断され、前記モータと前記発光部とが接続された第２の回路状態と、を切り替える、
ことを特徴とする請求項１に記載の電動刈払機。
【請求項３】
前記発光部は、前記駆動スイッチがオンであるときには、前記電源部から供給される電力によって発光する、
ことを特徴とする請求項１又は２に記載の電動刈払機。
【請求項４】
前記発光部の発光を規制する発光規制スイッチを更に備える、
ことを特徴とする請求項１乃至３の何れか１項に記載の電動刈払機。
【請求項５】
前記発光規制スイッチは、
前記発光部に電力が供給される第３の回路状態と、
前記発光部に電力が供給されない第４の回路状態と、を切り替える、
ことを特徴とする請求項４に記載の電動刈払機。
【請求項６】
前記モータは、コアレスモータから構成されている、
ことを特徴とする請求項１乃至５の何れか１項に記載の電動刈払機。
【請求項７】
前記モータは、回転子と、固定子と、前記回転子と同軸一体に設けられた出力軸と、を備え、
前記回転子と前記固定子との何れか一方は、前記出力軸の軸線方向視において前記出力軸を中心として円周方向に配列された略環状の複数のコイルを有する円板状のコイルディスクを備え、
前記回転子と前記固定子との何れか他方は、前記コイルディスクを前記出力軸の軸線方向に通過する磁束を発生する磁束発生手段を備える、
ことを特徴とする請求項１乃至６の何れか１項に記載の電動刈払い機。
【発明の詳細な説明】
【技術分野】
【０００１】
本発明は、電動刈払機に関する。
【背景技術】
【０００２】
特許文献１には、モータが操作棹（操作パイプ）の先端部に配設された電動刈払機が開示されている。このような電動刈払機によれば、動力の機械的損失を抑制し、モータの消費電力を抑制することができる。
【先行技術文献】
【特許文献】
【０００３】
【特許文献１】実開平７−３６６１２号公報
【発明の概要】
【発明が解決しようとする課題】
【０００４】
電動刈払機のモータ及び刈刃は、電力の供給が遮断されても、直ちに静止するのではなく、ある程度の時間が経過するまでは慣性により回転する。特に、特許文献１の電動刈払機のように、モータが操作棹の先端部に配設された電動刈払機では、動力の機械的損失が小さく、かつ刈刃の重量により大きな慣性力が働くことから、スイッチを切ってからモータ及び刈刃が静止するまでに、比較的長い時間を要する。
【０００５】
そこで、作業者には、スイッチを切った後に、刈刃が静止しているか否かを、目で見て、あるいは回転音を耳で聞いて、確認することが望まれる。しかし、電動刈払機は、平地はもとより、傾斜地や山地などでも使用される。作業内容としては草刈りが主であるが、その作業場所は、雑草や木の枝などが茂っている所が多く、このような場所では日中でも足下や頭上が薄暗い。また、集団で草刈作業を行う場合には、早朝に作業を開始することが多く、秋季から冬季にかけては、平地でも薄暗い環境で作業することが多い。そのため、刈刃の回転を確実に視認することは難しい。また、例えば交通量の多い場所や工事現場の周辺など、騒音の大きな場所で草刈作業を行う場合には、刈刃の回転音を聞き取ることが難しい。
【０００６】
上記課題に鑑み、本発明は、刈刃の回転を容易に認識できる電動刈払機を提供することを目的とする。
【課題を解決するための手段】
【０００７】
上記目的を達成するため、本発明による電動刈払機は、
長尺状の連結部と、把持部と、を有する操作棹と、
前記連結部の一端部に支持されたモータと、
前記モータに回転駆動される刈刃と、
前記操作棹に配置され、前記モータに電力を供給する電源部と、
前記モータへの電力の供給をオン／オフする駆動スイッチと、
前記駆動スイッチがオンからオフに切り替えられたときに、前記モータが慣性による回転により発生する電力によって発光する発光部と、を備える、
ことを特徴とする。
【０００８】
例えば、前記駆動スイッチは、
前記モータと前記電源部とが接続された第１の回路状態と、
前記モータと前記電源部とが遮断され、前記モータと前記発光部とが接続された第２の回路状態と、を切り替える、
ように構成されていても良い。
【０００９】
例えば、前記発光部は、前記駆動スイッチがオンであるときには、前記電源部から供給される電力によって発光しても良い。
【００１０】
例えば、上述の電動刈払機は、
前記発光部の発光を規制する発光規制スイッチを更に備えていても良い。
【００１１】
例えば、前記発光規制スイッチは、
前記発光部に電力が供給される第３の回路状態と、
前記発光部に電力が供給されない第４の回路状態と、を切り替える、
ように構成されていても良い。
【００１２】
前記モータは、コアレスモータから構成されている、
ことが望ましい。
【００１３】
前記モータは、回転子と、固定子と、前記回転子と同軸一体に設けられた出力軸と、を備え、
前記回転子と前記固定子との何れか一方は、前記出力軸の軸線方向視において前記出力軸を中心として円周方向に配列された略環状の複数のコイルを有する円板状のコイルディスクを備え、
前記回転子と前記固定子との何れか他方は、前記コイルディスクを前記出力軸の軸線方向に通過する磁束を発生する磁束発生手段を備える、
ことが望ましい。
【発明の効果】
【００１４】
本発明によれば、刈刃の回転を容易に認識できる電動刈払機を提供することができる。
【図面の簡単な説明】
【００１５】
【図１】本発明の実施形態に係る電動刈払機を示す側面図。
【図２】図１に示された電動刈払機の電源部及び操作部を示す断面図。
【図３】図１に示された電動刈払機の駆動部を示す断面図。
【図４】本発明の第１実施形態に係る電動刈払機の駆動回路を示す回路図。
【図５】本発明の第２実施形態に係る電動刈払機の駆動回路を示す回路図。
【図６】本発明の第３実施形態に係る電動刈払機の駆動回路を示す回路図。
【発明を実施するための形態】
【００１６】
以下、本発明を実施するための形態を、図面を用いて説明する。
【００１７】
（第１実施形態）
図１に示すように、電動刈払機１は、電源部１０と、操作棹２０と、駆動部４０と、から構成されている。
【００１８】
電源部１０は、図２に示すように、主に、電源ハウジング１１と、電池１２と、駆動スイッチ１６と、ＬＥＤ回路１７と、から構成されている。
【００１９】
電源ハウジング１１は、電池１２を着脱可能に保持すると共に、駆動スイッチ１６と、ＬＥＤ回路１７と、を収容している。また、電源ハウジング１１の上面には、操作パネル１５が設けられている。操作パネル１５には、ＬＥＤ回路１７に接続されたＬＥＤ（発光ダイオード）１８が配設されている。また、操作パネル１５には、図示は省略するが、電動刈払機１の主電源をＯＮ／ＯＦＦしたり、電動刈払機１の機能を変更したりするための、各種スイッチやボタン等が配設されている。
【００２０】
電池１２は、例えばリチウムイオン電池等の二次電池から構成されており、駆動部４０に設けられたモータ５０に電力を供給する。
【００２１】
駆動スイッチ１６は、図４を参照して後述するように、ＯＮ端子と、ＯＦＦ端子と、ＯＮ端子及びＯＦＦ端子の何れか一方と選択的に接続される出力端子と、を備える切替スイッチである。駆動スイッチ１６がＯＮされると、電池１２とモータ５０とが接続され、駆動スイッチ１６がＯＦＦされると、電池１２とモータ５０とが遮断されると共に、モータ５０とＬＥＤ回路１７とが接続される。
【００２２】
ＬＥＤ回路１７は、レギュレータ等から構成されており、図４を参照して後述するように、モータ５０が制動時に発生する電力の供給を受けてＬＥＤ１８を点灯する。
【００２３】
操作棹２０は、図１に示すように、長尺状の連結部３０と、把持部２５と、から構成されている。
【００２４】
連結部３０は、図２に示すように、アルミニウム合金や強化プラスチック等から形成された中空管であり、電源部１０の電源ハウジング１１に嵌合して固定されている。連結部３０には、電源部１０の電池１２と、駆動部４０のモータ５０と、を接続するための電源線３９が挿通されている。
【００２５】
把持部２５は、電源部１０の電源ハウジング１１に隣接して、連結部３０に固定されている。把持部２５には、トリガ２６が設けられている。トリガ２６は、ワイヤ２７を介して、電源部１０の駆動スイッチ１６と機械的に接続されている。トリガ２６の操作により、駆動スイッチ１６がＯＮ／ＯＦＦされ、駆動部４０のモータ５０が駆動／停止される。
【００２６】
なお、図１に示すように、連結部３０には、補助ハンドル３２が設けられている。さらに、連結部３０には、駆動部４０に設けられた刈刃４２の一部を覆う保護カバー３４が設けられている。
【００２７】
駆動部４０は、図３に示すように、モータ５０と、刈刃４２と、から構成されている。
【００２８】
モータ５０は、モータハウジング５１と、出力軸５２と、回転子５３と、固定子５４と、一対の摺動子５５と、から構成された、整流子モータである。
【００２９】
モータハウジング５１は、連結部３０の他端部に嵌合して固定され、回転子５３と、固定子５４と、一対の摺動子５５と、を収容している。
【００３０】
出力軸５２は、モータハウジング５１に設けられた軸受５７，５８により、軸線７回りに回転可能に支持されている。出力軸５２の一端は、モータハウジング５１から突出しており、ギヤ等を介さず直接に刈刃４２と固定されている。
【００３１】
回転子５３は、フランジ６１と、コイルディスク６２と、コミュテータ６３と、から構成されており、出力軸５２と同軸一体に設けられている。
【００３２】
フランジ６１は、出力軸５２に固定され、コイルディスク６２とコミュテータ６３とを支持している。
【００３３】
コイルディスク６２は、円板状のプリント配線板から構成されている。コイルディスク６２には、導体パターンにより、軸線７を中心として周方向に配列された図略の複数のコイルが形成されている。複数のコイルは、軸線７を中心として放射状に形成された複数のコイル片から構成され、それぞれ略環状（略コ字状）に形成されている。コイルディスク６２は、例えば、両面に導体パターンが形成されていても良く、複数のプリント配線板を積層して構成されていても良く、多層プリント配線板から構成されていても良い。
【００３４】
コミュテータ６３は、軸線７を中心として周方向に配列された図略の複数のコミュテータ片から構成されている。各コミュテータ片は、コイルディスク６２の対応するコイルと電気的に接続されている。
【００３５】
固定子５４は、マグネット７１と、ヨーク７２，７３と、から構成されている。ヨーク７２，７３は、鉄等の磁性体から円環板状に形成されており、それぞれコイルディスク６２の下面及び上面と対向して、ハウジング５１ａに固定されている。マグネット７１は、周方向に配列された複数の磁極を有して円環板状に形成されており、コイルディスク６２の下面と対向して、ヨーク７２の上面に固着されている。ヨーク７２，７３は、マグネット７１が発生する磁束がコイルディスク６２を軸線７方向に通過するように、磁路を形成する。
【００３６】
一対の摺動子５５は、モータハウジング５１に固定された一対の摺動子ホルダ５９に保持され、コミュテータ６３の上面に摺接するように、軸線７を挟んで配置されている。なお、摺動子５５は、摺動子ホルダ５９に設けられた図略の付勢手段により、コミュテータ６３の上面に向けて付勢されている。摺動子５５は、電気伝導性を有するカーボンから形成されており、連結部３０に挿通された電源線３９に接続されている。
【００３７】
次に、モータ５０の動作について説明する。
【００３８】
把持部２５のトリガ２６の操作に連動して、電源部１０の駆動スイッチ１６がＯＮされると、電源部１０の電池１２からモータ５０の一対の摺動子５５に電圧が印加される。
【００３９】
一対の摺動子５５に印加された電圧は、コミュテータ６３を介して、固定子５４が発生する磁束を通過するコイルディスク６２のコイルに印加される。コイルディスク６２には、固定子５４が発生する磁束と垂直方向かつ軸線７と直交方向に電流が流れることから、回転子５３には、軸線７を中心とする回転力が発生する。従って、回転子５３、回転子５３に固定された出力軸５２、及び出力軸５２に接続された刈刃４２が、軸線７を回転軸として一体に回転する。
【００４０】
上記構成のモータ５０は、所謂コアレスモータに属するものであり、コア（鉄心）に巻回されたコイルを有するモータと比較して、軸線７方向の幅が抑制された扁平かつ小型な形状を有する。また、回転子５３が扁平で径方向に大きな形状であることから、軽量でありながらモータ５０のトルクが向上するという利点を有し、モータ５０と刈刃４２とを直接に接続して電動刈払機１を構成することが可能となる。また、回転子５３を構成するコイルディスク６２が所謂コイルエンド（コアに巻回されたコイルにおいて、コアからはみ出す屈曲部分）を要しないことから、モータ５０はより扁平かつ小型に構成されるほか、コイルの発熱が抑制される。さらに、コイルディスク６２から構成された回転子５３は、表面積、すなわち放熱面積が大きいことから、モータ５０はコイルの冷却能力に優れる。
【００４１】
次に、上述の電池１２と、駆動スイッチ１６と、モータ５０と、ＬＥＤ回路１７と、ＬＥＤ１８と、から構成される駆動回路１００について、図４を参照して説明する。
【００４２】
電池１２のプラス端子は、駆動スイッチ１６のＯＮ端子に接続されている。駆動スイッチ１６の出力端子は、モータ５０の一方の端子に接続されている。モータ５０の他方の端子は、電池１２のマイナス端子に接続されている。駆動スイッチ１６のＯＦＦ端子は、ＬＥＤ回路１７のマイナス端子に接続されている。ＬＥＤ回路１７のプラス端子は、モータ５０の他方の端子に接続されている。
【００４３】
次に、図１及び図４を参照して、上述の駆動回路１００を備える電動刈払機１の動作について説明する。
【００４４】
トリガ２６の操作により、駆動スイッチ１６がＯＦＦからＯＮに切り替えられると、駆動回路１００は、モータ５０と電池１２とが接続され、かつＬＥＤ回路１７と電池１２とが遮断された回路状態となる。従って、モータ５０は、電池１２から電力の供給を受けて、刈刃４２を回転駆動する。また、ＬＥＤ回路１７は、電力が供給されず、ＬＥＤ１８を発光させない。
【００４５】
トリガ２６の操作により、駆動スイッチ１６がＯＮからＯＦＦに切り替えられると、駆動回路１００は、モータ５０と電池１２とが遮断され、かつモータ５０とＬＥＤ回路１７とが接続された回路状態となる。このとき、モータ５０は、モータ５０及び刈刃４２の慣性による回転により発電し、ＬＥＤ回路１７に電力を供給する。ＬＥＤ回路１７は、モータ５０及び刈刃４２が静止するまで、モータ５０から供給される電力によりＬＥＤ１８を発光させる。従って、ユーザは、ＬＥＤ１８の発光状態により、回転刃４２の回転を容易に認識することができる。
【００４６】
上記構成の電動刈払機１は、モータ５０が操作棹３０の先端部に配設されているため、動力の機械的損失が小さく、モータ５０の消費電力が小さいという利点を有する。また、モータ５０と刈刃４２とが直接に接続されていることにより、更に機械的な損失や駆動音の発生を抑制させることができる。
【００４７】
また、上記構成の駆動回路１００によれば、モータ５０が慣性による回転によって発生する電力によって発光するＬＥＤ１８を設けることにより、駆動スイッチ１６がＯＮからＯＦＦに切り替えられたときに、電動刈払機１の刈刃４２が回転していることを容易に認識することができる。特に、モータ５０と刈刃４２とが直接に接続され、モータ５０の駆動音により刈刃４２の回転を認識し難い状況であっても、刈刃４２の状況を的確に把握することが可能である。
【００４８】
また、上記構成の電動刈払機１によれば、コアレスモータであるモータ５０を採用することにより、回転損失が少なく効率的な駆動が可能になる。また、制動効果が小さく慣性による回転が持続する場合においても、刈刃４２の状況をＬＥＤ１８の目視により認識することができるため、作業性が向上する。
【００４９】
（第２の実施形態）
次に、第２の実施形態に係る電動刈払機１について説明する。第２の実施形態の電動刈払機１は、基本的構成については第１の実施形態の電動刈払機１と略同様であるが、駆動回路２００の構成において第１の実施形態の電動刈払機１と相異する。以下、図５を参照して、第２の実施形態に係る駆動回路２００について説明する。
【００５０】
駆動回路２００は、発光規制スイッチ１９を備える点において、第１の実施形態の駆動回路１００と相異する。発光規制スイッチ１９は、ＯＮ端子と、ＯＦＦ端子と、ＯＮ端子及びＯＦＦ端子の何れか一方と選択的に接続される出力端子と、を備える切替スイッチである。なお、発光規制スイッチ１９は、例えば、上述の電源部１０（図１）に設けられた操作パネル１５により、ユーザの手で切り替えることができる。
【００５１】
駆動回路２００は、電池１２と、駆動スイッチ１６と、モータ５０と、ＬＥＤ回路１７と、ＬＥＤ１８と、発光規制スイッチ１９と、から構成されている。
【００５２】
電池１２のプラス端子は、駆動スイッチ１６のＯＮ端子に接続されている。駆動スイッチ１６の出力端子は、ＬＥＤ回路１７のプラス端子に接続されている。ＬＥＤ回路１７のマイナス端子は、発光規制スイッチ１９のＯＮ端子に接続されている。発光規制スイッチ１９の出力端子は、モータ５０の一方の端子に接続されている。モータ５０の他方の端子は、電池１２のマイナス端子に接続されている。駆動スイッチ１６のＯＦＦ端子は、モータ５０の他方の端子に接続されている。発光規制スイッチ１９のＯＦＦ端子は、駆動スイッチ１６の出力端子に接続されている。
【００５３】
次に、図１及び図５を参照して、上述の駆動回路２００を備える電動刈払機１の動作について説明する。
【００５４】
始めに、発光規制スイッチ１９がＯＮであるときについて説明する。
【００５５】
トリガ２６の操作により、駆動スイッチ１６がＯＦＦからＯＮに切り替えられると、駆動回路２００は、モータ５０とＬＥＤ回路１７とが共に電池１２と接続された回路状態となる。従って、モータ５０は、電池１２から電力の供給を受けて、刈刃４２を回転駆動する。また、ＬＥＤ回路１７は、電池１２から電力の供給を受けて、ＬＥＤ１８を発光させる。
【００５６】
トリガ２６の操作により、駆動スイッチ１６がＯＮからＯＦＦに切り替えられると、駆動回路２００は、モータ５０とＬＥＤ回路１７とが共に電池１２と遮断され、かつモータ５０とＬＥＤ回路１７とが接続された回路状態となる。このとき、モータ５０は、モータ５０及び刈刃４２の慣性による回転により発電し、ＬＥＤ回路１７に電力を供給する。ＬＥＤ回路１７は、モータ５０及び刈刃４２が静止するまで、モータ５０から供給される電力によりＬＥＤ１８を発光させる。
【００５７】
次に、発光規制スイッチ１９がＯＦＦであるときについて説明する。
【００５８】
トリガ２６の操作により、駆動スイッチ１６がＯＦＦからＯＮに切り替えられると、駆動回路２００は、モータ５０と電池１２とが接続され、かつモータ５０と電池１２とが共にＬＥＤ回路１７と遮断された回路状態となる。従って、モータ５０は、電池１２から電力の供給を受けて、刈刃４２を回転駆動する。また、ＬＥＤ回路１７は、電力が供給されず、ＬＥＤ１８を発光させない。
【００５９】
トリガ２６の操作により、駆動スイッチ１６がＯＮからＯＦＦに切り替えられると、駆動回路２００は、モータ５０と電池１２とが遮断され、かつモータ５０と電池１２とが共にＬＥＤ回路１７と遮断された回路状態となる。このとき、モータ５０は、モータ５０及び刈刃４２の慣性による回転により発電するが、ＬＥＤ回路１７に電力を供給することはできない。従って、ＬＥＤ回路１７は、ＬＥＤ１８を発光させない。
【００６０】
上記構成の駆動回路２００によれば、駆動スイッチ１６がＯＮのときに、ＬＥＤ１８が電池１２から供給される電力により発光するため、作業中においても、電動刈払機１の刈刃４２が回転していることを容易に認識することができる。
【００６１】
また、ＬＥＤ１８の発光を規制する発光規制スイッチを設けることにより、ユーザの好みに応じてＬＥＤ１８の発光を規制することができるため、電動刈払機１の利便性を向上することができる。
【００６２】
（第３の実施形態）
次に、第３の実施形態に係る電動刈払機１について説明する。第３の実施形態の電動刈払機１は、基本的構成については第１及び第２の実施形態の電動刈払機１と略同様であるが、駆動回路３００の構成において第１及び第２の実施形態の電動刈払機１と相異する。以下、図６を参照して、第３の実施形態に係る駆動回路３００について説明する。
【００６３】
駆動回路３００は、駆動スイッチ３１６及び連動スイッチ３１９を備える点において、第１及び第２の実施形態の駆動回路１００，２００と相異する。駆動スイッチ３１６は、２つのＯＮ端子Ａ，Ｂと、出力端子と、を備える切替スイッチである。駆動スイッチ３１６の出力端子は、２つのＯＮ端子Ａ，Ｂの何れかに接続される（ＯＮ）か、２つのＯＮ端子Ａ，Ｂの何れにも接続されない（ＯＦＦ）か、の３通りの状態をとる。駆動スイッチ３１６の出力端子が２つのＯＮ端子Ａ，Ｂの何れと接続されるかは、例えば、上述の電源部１０（図１）に設けられた操作パネル１５により、ユーザの手で設定することができる。また、連動スイッチ３１９は、駆動スイッチ３１６がＯＮである（出力端子が２つのＯＮ端子Ａ，Ｂの何れかに接続されている）時にＯＦＦし、駆動スイッチ３１６がＯＦＦである（出力端子が２つのＯＮ端子Ａ，Ｂの何れにも接続されていない）ときにＯＮする、ＯＮ／ＯＦＦスイッチである。
【００６４】
駆動回路３００は、電池１２と、駆動スイッチ３１６と、モータ５０と、ＬＥＤ回路１７と、ＬＥＤ１８と、連動スイッチ３１９と、から構成されている。
【００６５】
電池１２のプラス端子は、駆動スイッチ３１６の出力端子に接続されている。駆動スイッチ３１６のＯＮ端子Ａは、モータ５０の一方の端子に接続されている。モータ５０の他方の端子は、電池１２のマイナス端子に接続されている。駆動スイッチ３１６のＯＮ端子Ｂは、ＬＥＤ回路１７のプラス端子に接続されている。ＬＥＤ回路１７のマイナス端子は、モータ５０のプラス端子に接続されている。連動スイッチ３１９の両端子は、モータ５０の他方の端子と、ＬＥＤ回路１７のプラス端子と、にそれぞれ接続されている。
【００６６】
次に、図１及び図６を参照して、駆動回路３００を備える電動刈払機１の動作について説明する。
【００６７】
始めに、駆動スイッチ３１６の出力端子がＯＮ端子Ａと接続されるように設定されているときについて説明する。
【００６８】
トリガ２６の操作により、駆動スイッチ３１６がＯＦＦからＯＮに切り替えられると、連動スイッチ３１９がＯＦＦに切り替わる。これにより、駆動回路３００は、モータ５０と電池１２とが接続され、かつＬＥＤ回路１７が電池１２と遮断された回路状態となる。従って、モータ５０は、電池１２から電力の供給を受けて、刈刃４２を回転駆動する。また、ＬＥＤ回路１７は、電力が供給されず、ＬＥＤ１８を発光させない。
【００６９】
トリガ２６の操作により、駆動スイッチ３１６がＯＮからＯＦＦに切り替えられると、連動スイッチ３１９がＯＮに切り替わる。これにより、駆動回路３００は、モータ５０とＬＥＤ回路１７とが共に電池１２と遮断され、かつモータ５０とＬＥＤ回路１７とが接続された回路状態となる。このとき、モータ５０は、モータ５０及び刈刃４２の慣性による回転により発電し、ＬＥＤ回路１７に電力を供給するＬＥＤ回路１７は、モータ５０及び刈刃４２が静止するまで、モータ５０から供給される電力によりＬＥＤ１８を発光させる。
【００７０】
次に、駆動スイッチ３１６の出力端子がＯＮ端子Ｂと接続されるように設定されているときについて説明する。
【００７１】
トリガ２６の操作により、駆動スイッチ３１６がＯＦＦからＯＮに切り替えられると、連動スイッチ３１９がＯＦＦに切り替わる。これにより、駆動回路３００は、モータ５０とＬＥＤ回路１７とが共に電池１２と接続された回路状態となる。従って、モータ５０は、モータ５０及び刈刃４２の慣性による回転により発電し、ＬＥＤ回路１７に電力を供給する。ＬＥＤ回路１７は、モータ５０及び刈刃４２が静止するまで、モータ５０から供給される電力によりＬＥＤ１８を発光させる。
【００７２】
トリガ２６の操作により、駆動スイッチ３１６がＯＮからＯＦＦに切り替えられると、連動スイッチ３１９がＯＮに切り替わる。これにより、駆動回路３００は、モータ５０とＬＥＤ回路１７とが共に電池１２と遮断され、かつモータ５０とＬＥＤ回路１７とが接続された回路状態となる。このとき、モータ５０は、モータ５０及び刈刃４２の慣性による回転により発電し、ＬＥＤ回路１７に電力を供給する。ＬＥＤ回路１７は、モータ５０及び刈刃４２が静止するまで、モータ５０から供給される電力によりＬＥＤ１８を発光させる。
【００７３】
上記構成の駆動回路３００によれば、駆動スイッチ３１６がＯＮからＯＦＦに切り替えられたときにはＬＥＤ１８を発光させ、駆動スイッチ３１６がＯＮのときにはユーザの好みに応じてＬＥＤ１８を発光させるか否かを選択することができる。従って、電動刈払機１の刈刃４２が回転していることを容易に認識することができると共に、電動刈払機１の利便性を向上することができる。
【００７４】
なお、本実施形態では、駆動スイッチ３１６が、本発明に係る駆動スイッチと発光規制スイッチとを構成する。
【００７５】
なお、本発明は上述の実施形態に限定されるものではなく、特許請求の範囲に記載した範囲で種々の変形をしたものも、本発明の技術的範囲に含まれる。
【００７６】
例えば、実施形態のモータ５０は、コイルディスク６２を有する回転子５３と、マグネット７１を有する固定子５４と、から構成された整流子モータであったが、本発明に係るモータはこれに限定されるものではなく、例えば、マグネットを有する回転子と、コイルディスクを有する固定子と、から構成されたブラシレスモータであっても良い。また、実施形態のコイルディスクは、プリント配線板から構成されていたが、本発明に係るコイルディスクはこれに限定されるものではなく、例えば、円板状に配列された複数の薄型コイル等から構成されていても良い。また、実施形態のモータ５０はコアレスモータから構成されていたが、本発明に係るモータは、コアに巻回されたコイルを有するモータから構成されていても良い。
【００７７】
また、実施形態のＬＥＤ１７は、電源部１０の操作パネル１５に配設されていたが、本発明に係る発光部はこれに限定されるものではなく、例えば、刈刃を照らすように、モータに配設されていても良い。
【００７８】
また、本発明に係る駆動スイッチは、実施形態の駆動スイッチ１６，３１６に限定されるものではなく、例えば、トリガ２６の引き量に応じてモータの出力（回転数）を調整する、可変速スイッチであっても良い。
【００７９】
また、本発明に係る電動刈払機の駆動回路は、実施形態の駆動回路１００，２００，３００に限定されるものではなく、駆動スイッチがＯＦＦされたときにモータが発生する電力を発光部に供給することができるならば、任意に変形することができる。
【００８０】
その他、各構成の材質、形状、数量、配置等についても、本発明の目的を達成することが可能な範囲において、適宜変更することができる。
【符号の説明】
【００８１】
１  電動刈払機
７  軸線
１０  電源部
１１  電源ハウジング
１２  電池
１５  操作パネル
１６  駆動スイッチ
１７  ＬＥＤ回路
１８  ＬＥＤ（発光部）
１９  発光規制スイッチ
２０  操作棹
２５  把持部
２６  トリガ
２７  ワイヤ
３０  連結部
３２  補助ハンドル
３４  保護カバー
３９  電源線
４０  駆動部
４２  刈刃
５０  モータ
５１  モータハウジング
５２  出力軸
５３  回転子
５４  固定子
５５  摺動子
５７，５８  軸受
５９  摺動子ホルダ
６１  フランジ
６２  コイルディスク
６３  コミュテータ
７１  マグネット
７２，７３  ヨーク
１００，２００，３００  駆動回路
３１６  駆動スイッチ
３１９  連動スイッチ
【図１】
2011135842.tif 000003
【図２】
2011135842.tif 000004
【図３】
2011135842.tif 000005
【図４】
2011135842.tif 000006
【図５】
2011135842.tif 000007
【図６】
2011135842.tif 000008